(57)【要約】【課題】子画面の映像を遮ることなく親画面の字幕を表示する。【解決手段】デジタル放送受信機のＭＰＵ１１は、親画面に対応する字幕の文字情報及び字幕を表示する領域である第３領域を規定する字幕座標情報を取得する字幕取得部１１２と、子画面の表示領域である第２領域を規定する子画面座標情報及び字幕座標情報に基づいて、第３領域が第２領域と重なるか否かを判定する干渉判定部１１３と、第３領域が第２領域と重なると判定された場合に、重なりを回避するべく第３領域の位置及び大きさの少なくとも一方を変更し、変更後の第３領域の位置及び大きさを規定する新字幕座標情報を生成する字幕位置変更部１１７と、生成された新字幕座標情報に基づいて、字幕取得部１１２によって取得された文字情報をディスプレイ１８３に表示する字幕表示部１１８と、を備えている。【選択図】図２
2008167369.tif 000002
【特許請求の範囲】
【請求項１】
１のテレビジョン放送を受信する第１受信手段と、
他のテレビジョン放送を受信する第２受信手段と、
前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、
前記第１受信手段を介して、前記１のテレビジョン放送に対応する字幕の文字情報を取得すると共に、前記第１領域内に予め設定され、前記字幕を表示する領域である第３領域の位置及び大きさを規定する字幕座標情報を取得する字幕取得手段と、
前記第２領域の位置及び大きさを規定する子画面座標情報、及び、前記字幕座標情報に基づいて、前記第３領域の少なくとも一部が前記第２領域と重なるか否かを判定する干渉判定手段と、
前記干渉判定手段によって前記第３領域の少なくとも一部が前記第２領域と重なると判定された場合に、前記第３領域と前記第２領域との重なりを回避するべく前記第３領域の位置及び大きさの少なくとも一方を変更し、変更後の第３領域の位置及び大きさを規定する新字幕座標情報を生成する字幕位置変更手段と、
前記字幕位置変更手段によって生成された新字幕座標情報に基づいて、前記字幕取得手段によって取得された文字情報をモニタに表示する字幕表示手段と、
前記干渉判定手段によって前記第３領域の少なくとも一部が前記第２領域と重なると判定された場合に、前記第３領域の位置を、前記第２領域の周辺と隣接する位置であって、前記第２領域の上方側、下方側、右方側、及び、左方側のいずれか１の位置に移動させることによって、前記第３領域と前記第２領域との重なりを回避することができるか否かを判定する第１判定手段と、
前記第１判定手段によって重なりを回避することができないと判定された場合に、前記第２領域の周辺と隣接する位置であって、前記第２領域の上方側、下方側、右方側、及び、左方側の４つの位置の内、前記第３領域の移動量が最小となる位置を、前記第３領域の移動先の位置として決定する移動先決定手段と、
前記移動先決定手段によって決定された前記第３領域の移動先の位置において、前記第２領域との重なりを回避することが可能な前記第３領域の大きさを縮小する倍率である縮小倍率を求める倍率算出手段と、
を備え、
前記移動先決定手段は、前記第３領域の移動量として、移動前の第３領域の中心位置と、移動後の第３領域の内、前記第１領域内に表示される領域の中心位置との距離を求め、
前記倍率算出手段は、前記第３領域の内、前記第１領域内に表示される領域の全体領域に対する比率に基づいて、前記縮小倍率を求め、
前記字幕位置変更手段は、前記第１判定手段によって重なりを回避することができると判定された場合に、前記第３領域の位置を、前記第２領域との重なりを回避することができる位置に変更するべく新字幕座標情報を生成すると共に、前記第１判定手段によって重なりを回避することができないと判定された場合に、前記第３領域の大きさ及び位置を、それぞれ、前記倍率算出手段によって求められた縮小倍率により規定される大きさ、及び、前記移動先決定手段によって決定された移動先の位置、に変更するべく新字幕座標情報を生成し、
前記字幕表示手段は、前記第１判定手段によって重なりを回避することができないと判定された場合に、前記字幕取得手段によって取得された文字情報を前記倍率算出手段によって求められた縮小倍率に縮小してモニタに表示することを特徴とする放送受信装置。
【請求項２】
１のテレビジョン放送を受信する第１受信手段と、
他のテレビジョン放送を受信する第２受信手段と、
前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、
前記第１受信手段を介して、前記１のテレビジョン放送に対応する字幕の文字情報を取得すると共に、前記第１領域内に予め設定され、前記字幕を表示する領域である第３領域の位置及び大きさを規定する字幕座標情報を取得する字幕取得手段と、
前記第２領域の位置及び大きさを規定する子画面座標情報、及び、前記字幕座標情報に基づいて、前記第３領域の少なくとも一部が前記第２領域と重なるか否かを判定する干渉判定手段と、
前記干渉判定手段によって前記第３領域の少なくとも一部が前記第２領域と重なると判定された場合に、前記第３領域と前記第２領域との重なりを回避するべく前記第３領域の位置及び大きさの少なくとも一方を変更し、変更後の第３領域の位置及び大きさを規定する新字幕座標情報を生成する字幕位置変更手段と、
前記字幕位置変更手段によって生成された新字幕座標情報に基づいて、前記字幕取得手段によって取得された文字情報をモニタに表示する字幕表示手段と、
を備えることを特徴とする放送受信装置。
【請求項３】
前記干渉判定手段によって前記第３領域の少なくとも一部が前記第２領域と重なると判定された場合に、前記第３領域の位置を、前記第２領域の周辺と隣接する位置であって、前記第２領域の上方側、下方側、右方側、及び、左方側のいずれか１の位置に移動させることによって、前記第３領域と前記第２領域との重なりを回避することができるか否かを判定する第１判定手段を備え、
前記字幕位置変更手段は、前記第１判定手段によって重なりを回避することができると判定された場合に、前記第３領域の位置を、前記第２領域との重なりを回避することができる位置に変更するべく新字幕座標情報を生成することを特徴とする請求項２に記載の放送受信装置。
【請求項４】
前記第１判定手段によって重なりを回避することができないと判定された場合に、前記第３領域の大きさを予め設定された所定の倍率に縮小し、縮小された第３領域の位置を、前記第２領域の周辺と隣接する位置であって、前記第２領域の上方側、下方側、右方側、及び、左方側のいずれか１の位置に移動させることによって、縮小された第３領域と前記第２領域との重なりを回避することができるか否かを判定する第２判定手段を備え、
前記字幕位置変更手段は、前記第２判定手段によって重なりを回避することができると判定された場合に、前記第３領域の位置及び大きさを、前記第２領域との重なりを回避することができる位置及び大きさに変更するべく新字幕座標情報を生成し、
前記字幕表示手段は、前記字幕位置変更手段によって生成された新字幕座標情報に基づいて、前記字幕取得手段によって取得された文字情報を前記所定の倍率に縮小してモニタに表示することを特徴とする請求項３に記載の放送受信装置。
【請求項５】
前記第１判定手段によって重なりを回避することができないと判定された場合に、前記第２領域との重なりを回避することが可能な前記第３領域の大きさを縮小する倍率である縮小倍率を求める倍率算出手段と、
前記第１判定手段によって重なりを回避することができないと判定された場合に、予め設定されたルールに従って、前記第３領域の移動先の位置を、前記第２領域の周辺と隣接する位置であって、前記第２領域の上方側、下方側、右方側、及び、左方側のいずれか１の位置に決定する移動先決定手段と、
を備え、
前記字幕位置変更手段は、前記第１判定手段によって重なりを回避することができないと判定された場合に、前記第３領域の大きさ及び位置を、それぞれ、前記倍率算出手段によって求められた縮小倍率により規定される大きさ、及び、前記移動先決定手段によって決定された移動先の位置、に変更するべく新字幕座標情報を生成し、
前記字幕表示手段は、前記第１判定手段によって重なりを回避することができないと判定された場合に、前記字幕取得手段によって取得された文字情報を前記倍率算出手段によって求められた縮小倍率に縮小してモニタに表示することを特徴とする請求項３に記載の放送受信装置。
【請求項６】
前記移動先決定手段は、前記第２領域の周辺と隣接する位置であって、前記第２領域の上方側、下方側、右方側、及び、左方側の４つの位置の内、前記第３領域の移動量が最小となる位置を、前記第３領域の移動先の位置として決定し、
前記倍率算出手段は、前記移動先決定手段によって決定された位置において、前記第２領域との重なりを回避することが可能な前記第３領域の大きさを縮小する倍率である縮小倍率を求め、
前記字幕位置変更手段は、前記第３領域の大きさ及び位置を、それぞれ、前記倍率算出手段によって求められた縮小倍率により規定される大きさ、及び、前記移動先決定手段によって決定された移動先の位置、に変更するべく新字幕座標情報を生成することを特徴とする請求項５に記載の放送受信装置。
【請求項７】
前記移動先決定手段は、前記第３領域の移動量として、移動前の第３領域の中心位置と、移動後の第３領域の内、前記第１領域内に表示される領域の中心位置との距離を求めることを特徴とする請求項６に記載の放送受信装置。
【請求項８】
前記倍率算出手段は、前記第３領域の位置を、前記第２領域の周辺と隣接する位置であって、前記第２領域の上方側、下方側、右方側、及び、左方側の各位置に移動させた場合に、前記第２領域との重なりを回避することが可能な前記第３領域の大きさを縮小する倍率である縮小倍率をそれぞれ求め、
前記移動先決定手段は、前記倍率算出手段によって求められた４つの縮小倍率の内、最大の縮小倍率に対応する前記第３領域の位置を前記第３領域の移動先の位置として決定し、
前記字幕位置変更手段は、前記第１判定手段によって重なりを回避することができないと判定された場合に、前記第３領域の大きさを、前記倍率算出手段によって求められた４つの縮小倍率の内、最大の縮小倍率により規定される大きさに変更するべく新字幕座標情報を生成し、
前記字幕表示手段は、前記第１判定手段によって重なりを回避することができないと判定された場合に、前記字幕取得手段によって取得された文字情報を前記倍率算出手段によって求められた４つの縮小倍率の内、最大の縮小倍率に縮小してモニタに表示することを特徴とする請求項５に記載の放送受信装置。
【請求項９】
前記倍率算出手段は、前記第３領域の位置を、前記第２領域の上方側、下方側、右方側、及び、左方側のいずれか１の位置であって、前記第２領域の周辺と隣接する位置に移動させた場合に、前記第３領域の内、前記第１領域内に表示される領域の全体領域に対する比率に基づいて、前記縮小倍率を求めることを特徴とする請求項５〜請求項８のいずれかに記載の放送受信装置。
【発明の詳細な説明】
【技術分野】
【０００１】
本発明は、テレビジョン放送を受信し、外部から視認可能にモニタに出力可能に構成された放送受信装置に関する。特に、１のテレビジョン放送を受信する第１受信手段と、他のテレビジョン放送を受信する第２受信手段と、前記第１受信手段によって受信された１のテレビジョン放送に対応する映像である第１映像を親画面としてモニタに表示すると共に、前記第２受信手段によって受信された他のテレビジョン放送に対応する映像である第２映像を子画面としてモニタに表示する映像表示手段と、を備える放送受信装置に関する。
【背景技術】
【０００２】
近年、デジタル放送の普及に伴い、テレビジョン放送の多チャンネル化が進んでいる。この様な多チャンネル化に伴い、放送受信装置に配設された１のモニタに複数番組の映像を同時に表示するマルチ画面表示技術が提案されている。すなわち、表示画面を複数の領域に分割し、複数の番組映像を同時に出力することができる、いわゆる、ピクチャーインピクチャー（ＰｉｎＰ）、又は、ピクチャーアウトピクチャー（ＰｏｕｔＰ）等の機能を備えた受放送信装置が知られている。
【０００３】
例えば、ユーザによって選択されたチャンネルが含まれる物理チャンネルに複数のサブチャンネルが存在する場合に、ユーザによって選択されたチャンネルが含まれる物理チャンネルを第１のチューナに受信させると共に、ユーザによって選択されたチャンネルの前又は後のチャンネルを第２のチューナに受信させ、ユーザによって選択されたチャンネルの映像信号、及び、ユーザによって選択されたチャンネルの前後のチャンネルの映像信号を抽出し、ユーザによって選択されたチャンネルの映像信号を親画面として出力すると共に、ユーザによって選択されたチャンネルの前後のチャンネルの映像信号を子画面として出力するデジタルＴＶ放送信号受信装置が開示されている（特許文献１参照）。
【特許文献１】特開２００６−６７２０５号公報
【発明の開示】
【発明が解決しようとする課題】
【０００４】
しかしながら、上記デジタルＴＶ放送信号受信装置では、ピクチャーインピクチャー（ＰｉｎＰ）の形態で親画面と子画面とを表示する場合に、親画面に表示される字幕によって子画面の映像が遮られることがある。すなわち、デジタルＴＶ放送信号受信装置においては、親画面の映像と子画面の映像とが合成されて合成画像が生成され、生成された合成画像上に字幕等のグラフィックスが描画されるため、グラフィックスの描画領域が子画面の領域と重なった場合には、子画面の映像が遮られるのである。
【０００５】
本発明は、上記課題に鑑みてなされたものであって、子画面の映像を遮ることなく親画面の字幕を表示することの可能な放送受信装置を提供することを目的としている。
【課題を解決するための手段】
【０００６】
上記目的を達成するために請求項１に記載の放送受信装置は、１のテレビジョン放送を受信する第１受信手段と、他のテレビジョン放送を受信する第２受信手段と、前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、前記第１受信手段を介して、前記１のテレビジョン放送に対応する字幕の文字情報を取得すると共に、前記第１領域内に予め設定され、前記字幕を表示する領域である第３領域の位置及び大きさを規定する字幕座標情報を取得する字幕取得手段と、前記第２領域の位置及び大きさを規定する子画面座標情報、及び、前記字幕座標情報に基づいて、前記第３領域の少なくとも一部が前記第２領域と重なるか否かを判定する干渉判定手段と、前記干渉判定手段によって前記第３領域の少なくとも一部が前記第２領域と重なると判定された場合に、前記第３領域と前記第２領域との重なりを回避するべく前記第３領域の位置及び大きさの少なくとも一方を変更し、変更後の第３領域の位置及び大きさを規定する新字幕座標情報を生成する字幕位置変更手段と、前記字幕位置変更手段によって生成された新字幕座標情報に基づいて、前記字幕取得手段によって取得された文字情報をモニタに表示する字幕表示手段と、前記干渉判定手段によって前記第３領域の少なくとも一部が前記第２領域と重なると判定された場合に、前記第３領域の位置を、前記第２領域の周辺と隣接する位置であって、前記第２領域の上方側、下方側、右方側、及び、左方側のいずれか１の位置に移動させることによって、前記第３領域と前記第２領域との重なりを回避することができるか否かを判定する第１判定手段と、前記第１判定手段によって重なりを回避することができないと判定された場合に、前記第２領域の周辺と隣接する位置であって、前記第２領域の上方側、下方側、右方側、及び、左方側の４つの位置の内、前記第３領域の移動量が最小となる位置を、前記第３領域の移動先の位置として決定する移動先決定手段と、前記移動先決定手段によって決定された前記第３領域の移動先の位置において、前記第２領域との重なりを回避することが可能な前記第３領域の大きさを縮小する倍率である縮小倍率を求める倍率算出手段と、を備え、前記移動先決定手段が、前記第３領域の移動量として、移動前の第３領域の中心位置と、移動後の第３領域の内、前記第１領域内に表示される領域の中心位置との距離を求め、前記倍率算出手段が、前記第３領域の内、前記第１領域内に表示される領域の全体領域に対する比率に基づいて、前記縮小倍率を求め、前記字幕位置変更手段が、前記第１判定手段によって重なりを回避することができると判定された場合に、前記第３領域の位置を、前記第２領域との重なりを回避することができる位置に変更するべく新字幕座標情報を生成すると共に、前記第１判定手段によって重なりを回避することができないと判定された場合に、前記第３領域の大きさ及び位置を、それぞれ、前記倍率算出手段によって求められた縮小倍率により規定される大きさ、及び、前記移動先決定手段によって決定された移動先の位置、に変更するべく新字幕座標情報を生成し、前記字幕表示手段が、前記第１判定手段によって重なりを回避することができないと判定された場合に、前記字幕取得手段によって取得された文字情報を前記倍率算出手段によって求められた縮小倍率に縮小してモニタに表示することを特徴としている。
【０００７】
請求項２に記載の放送受信装置は、１のテレビジョン放送を受信する第１受信手段と、他のテレビジョン放送を受信する第２受信手段と、前記第１受信手段によって受信された１のテレビジョン放送に対応する映像である第１映像を親画面としてモニタの予め設定された第１領域に表示すると共に、前記第２受信手段によって受信された他のテレビジョン放送に対応する映像である第２映像を子画面としてモニタの前記第１領域内に予め設定された第２領域に表示する映像表示手段と、前記第１受信手段を介して、前記１のテレビジョン放送に対応する字幕の文字情報を取得すると共に、前記第１領域内に予め設定され、前記字幕を表示する領域である第３領域の位置及び大きさを規定する字幕座標情報を取得する字幕取得手段と、前記第２領域の位置及び大きさを規定する子画面座標情報、及び、前記字幕座標情報に基づいて、前記第３領域の少なくとも一部が前記第２領域と重なるか否かを判定する干渉判定手段と、前記干渉判定手段によって前記第３領域の少なくとも一部が前記第２領域と重なると判定された場合に、前記第３領域と前記第２領域との重なりを回避するべく前記第３領域の位置及び大きさの少なくとも一方を変更し、変更後の第３領域の位置及び大きさを規定する新字幕座標情報を生成する字幕位置変更手段と、前記字幕位置変更手段によって生成された新字幕座標情報に基づいて、前記字幕取得手段によって取得された文字情報をモニタに表示する字幕表示手段と、を備えることを特徴としている。
【０００８】
請求項３に記載の放送受信装置は、請求項２に記載の放送受信装置であって、前記干渉判定手段によって前記第３領域の少なくとも一部が前記第２領域と重なると判定された場合に、前記第３領域の位置を、前記第２領域の周辺と隣接する位置であって、前記第２領域の上方側、下方側、右方側、及び、左方側のいずれか１の位置に移動させることによって、前記第３領域と前記第２領域との重なりを回避することができるか否かを判定する第１判定手段を備え、前記字幕位置変更手段が、前記第１判定手段によって重なりを回避することができると判定された場合に、前記第３領域の位置を、前記第２領域との重なりを回避することができる位置に変更するべく新字幕座標情報を生成することを特徴としている。
【０００９】
請求項４に記載の放送受信装置は、請求項３に記載の放送受信装置であって、前記第１判定手段によって重なりを回避することができないと判定された場合に、前記第３領域の大きさを予め設定された所定の倍率に縮小し、縮小された第３領域の位置を、前記第２領域の周辺と隣接する位置であって、前記第２領域の上方側、下方側、右方側、及び、左方側のいずれか１の位置に移動させることによって、縮小された第３領域と前記第２領域との重なりを回避することができるか否かを判定する第２判定手段を備え、前記字幕位置変更手段が、前記第２判定手段によって重なりを回避することができると判定された場合に、前記第３領域の位置及び大きさを、前記第２領域との重なりを回避することができる位置及び大きさに変更するべく新字幕座標情報を生成し、前記字幕表示手段が、前記字幕位置変更手段によって生成された新字幕座標情報に基づいて、前記字幕取得手段によって取得された文字情報を前記所定の倍率に縮小してモニタに表示することを特徴としている。
【００１０】
請求項５に記載の放送受信装置は、請求項３に記載の放送受信装置であって、前記第１判定手段によって重なりを回避することができないと判定された場合に、前記第２領域との重なりを回避することが可能な前記第３領域の大きさを縮小する倍率である縮小倍率を求める倍率算出手段と、前記第１判定手段によって重なりを回避することができないと判定された場合に、予め設定されたルールに従って、前記第３領域の移動先の位置を、前記第２領域の周辺と隣接する位置であって、前記第２領域の上方側、下方側、右方側、及び、左方側のいずれか１の位置に決定する移動先決定手段と、備え、前記字幕位置変更手段が、前記第１判定手段によって重なりを回避することができないと判定された場合に、前記第３領域の大きさ及び位置を、それぞれ、前記倍率算出手段によって求められた縮小倍率により規定される大きさ、及び、前記移動先決定手段によって決定された移動先の位置、に変更するべく新字幕座標情報を生成し、前記字幕表示手段が、前記第１判定手段によって重なりを回避することができないと判定された場合に、前記字幕取得手段によって取得された文字情報を前記倍率算出手段によって求められた縮小倍率に縮小してモニタに表示することを特徴としている。
【００１１】
請求項６に記載の放送受信装置は、請求項５に記載の放送受信装置であって、前記移動先決定手段が、前記第２領域の周辺と隣接する位置であって、前記第２領域の上方側、下方側、右方側、及び、左方側の４つの位置の内、前記第３領域の移動量が最小となる位置を、前記第３領域の移動先の位置として決定し、前記倍率算出手段が、前記第１判定手段によって重なりを回避することができないと判定された場合に、前記移動先決定手段によって決定された位置において、前記第２領域との重なりを回避することが可能な前記第３領域の大きさを縮小する倍率である縮小倍率を求め、前記字幕位置変更手段が、前記第３領域の大きさ及び位置を、それぞれ、前記倍率算出手段によって求められた縮小倍率により規定される大きさ、及び、前記移動先決定手段によって決定された移動先の位置、に変更するべく新字幕座標情報を生成することを特徴としている。
【００１２】
請求項７に記載の放送受信装置は、請求項６に記載の放送受信装置であって、前記移動先決定手段が、前記第３領域の移動量として、移動前の第３領域の中心位置と、移動後の第３領域の内、前記第１領域内に表示される領域の中心位置との距離を求めることを特徴としている。
【００１３】
請求項８に記載の放送受信装置は、請求項５に記載の放送受信装置であって、前記倍率算出手段が、前記第３領域の位置を、前記第２領域の周辺と隣接する位置であって、前記第２領域の上方側、下方側、右方側、及び、左方側の各位置に移動させた場合に、前記第２領域との重なりを回避することが可能な前記第３領域の大きさを縮小する倍率である縮小倍率をそれぞれ求め、前記移動先決定手段が、前記倍率算出手段によって求められた４つの縮小倍率の内、最大の縮小倍率に対応する前記第３領域の位置を前記第３領域の移動先の位置として決定し、前記字幕位置変更手段が、前記第１判定手段によって重なりを回避することができないと判定された場合に、前記第３領域の大きさを、前記倍率算出手段によって求められた４つの縮小倍率の内、最大の縮小倍率により規定される大きさに変更するべく新字幕座標情報を生成し、前記字幕表示手段は、前記第１判定手段によって重なりを回避することができないと判定された場合に、前記字幕取得手段によって取得された文字情報を前記倍率算出手段によって求められた４つの縮小倍率の内、最大の縮小倍率に縮小してモニタに表示することを特徴としている。
【００１４】
請求項９に記載の放送受信装置は、請求項５〜請求項８のいずれかに記載の放送受信装置であって、前記倍率算出手段が、前記第３領域の位置を、前記第２領域の上方側、下方側、右方側、及び、左方側のいずれか１の位置であって、前記第２領域の周辺と隣接する位置に移動させた場合に、前記第３領域の内、前記第１領域内に表示される領域の全体領域に対する比率に基づいて、前記縮小倍率を求めることを特徴としている。
【発明の効果】
【００１５】
請求項１に記載の放送受信装置によれば、親画面の字幕を表示する領域である第３領域の少なくとも一部が、他のテレビジョン放送に対応する映像である第２映像を子画面として表示する領域である第２領域と重なるか否かが判定される。そして、第３領域の少なくとも一部が第２領域と重なると判定された場合に、第３領域と前記第２領域との重なりを回避するべく第３領域の位置及び大きさの少なくとも一方が変更され、変更後の第３領域の位置及び大きさを規定する新字幕座標情報が生成され、生成された新字幕座標情報に基づいて、字幕の文字情報がモニタに表示されるため、子画面の映像を遮ることなく親画面の字幕を表示することができる。
【００１６】
また、第３領域の少なくとも一部が第２領域と重なると判定された場合に、第３領域の位置を、第２領域の周辺と隣接する位置であって、第２領域の上方側、下方側、右方側、及び、左方側のいずれか１の位置に移動させることによって、第３領域と第２領域との重なりを回避することができるか否かが判定され、重なりを回避することができると判定された場合に、第３領域の位置を、第２領域との重なりを回避することができる位置に変更するべく新字幕座標情報が生成されるため、簡素な構成で子画面の映像を遮ることなく親画面の字幕を表示することができる。
【００１７】
すなわち、第３領域の位置を、第２領域の周辺と隣接する位置であって、第２領域の上方側、下方側、右方側、及び、左方側のいずれか１の位置に移動させることによって、第３領域と第２領域との重なりを回避することができるため、第３領域の表示位置を移動するだけで重なりを回避することができるので、簡素な構成で子画面の映像を遮ることなく親画面の字幕を表示することができるのである。
【００１８】
更に、第３領域の表示位置を移動するだけでは重なりを回避することができないと判定された場合に、第２領域との重なりを回避することが可能な第３領域の大きさを縮小する倍率である縮小倍率が求められると共に、予め設定されたルールに従って、第３領域の移動先の位置が、第２領域の周辺と隣接する位置であって、第２領域の上方側、下方側、右方側、及び、左方側のいずれか１の位置に決定される。そして、第３領域の大きさ及び位置が、それぞれ、求められた縮小倍率により規定される大きさ、及び、決定された移動先の位置、に変更するべく新字幕座標情報が生成され、生成された新字幕座標情報に基づいて、字幕の文字情報が、求められた縮小倍率に縮小されてモニタに表示されるため、更に確実に子画面の映像を遮ることなく親画面の字幕を表示することができる。
【００１９】
すなわち、第３領域の表示位置を移動するだけでは重なりを回避することができないと判定された場合であっても、第２領域との重なりを回避することが可能な第３領域の大きさを縮小する倍率である縮小倍率が求められるため、更に確実に子画面の映像を遮ることなく親画面の字幕を表示することができるのである。
【００２０】
加えて、第３領域の移動先の位置が、第２領域の周辺と隣接する位置であって、第２領域の上方側、下方側、右方側、及び、左方側の４つの位置の内、第３領域の移動量が最小となる位置に決定され、決定された位置において、第２領域との重なりを回避することが可能な第３領域の大きさを縮小する倍率である縮小倍率が求められる。そして、第３領域の大きさ及び位置が、それぞれ、求められた縮小倍率により規定される大きさ、及び、決定された移動先の位置、に変更するべく新字幕座標情報が生成され、生成された新字幕座標情報に基づいて、字幕の文字情報が最大の縮小倍率に縮小されてモニタに表示されるため、親画面に表示される番組の制作者の意図した位置に近い位置に字幕を表示することができる。
【００２１】
すなわち、第３領域の移動先の位置が、第２領域の周辺と隣接する位置であって、第２領域の上方側、下方側、右方側、及び、左方側の４つの位置の内、第３領域の移動量が最小となる位置に決定されるため、親画面に表示される番組の制作者の意図した位置（＝親画面の映像の視認に適した位置）に近い位置に字幕を表示することができるのである。
【００２２】
また、第３領域の移動量として、移動前の第３領域の中心位置と、移動後の第３領域の内、第１領域内に表示される領域の中心位置との距離が求められるため、正確に且つ容易に第３領域の移動量を求めることができる。
【００２３】
更に、第３領域の位置を、第２領域の上方側、下方側、右方側、及び、左方側のいずれか１の位置であって、前記第２領域の周辺と隣接する位置に移動させた場合に、第３領域の内、親画面の表示領域である第１領域内に表示される領域の全体領域に対する比率に基づいて、縮小倍率が求められるため、適正な縮小倍率を容易に求めることができる。
【００２４】
すなわち、例えば、縮小倍率を、第３領域の内、親画面の表示領域である第１領域内に表示される領域の全体領域に対する比率に略一致させることによって、第２領域との重なりを回避することができ、且つ、可能な限り大きな縮小倍率が求められるため、適正な縮小倍率を容易に求めることができるのである。
【００２５】
請求項２に記載の放送受信装置によれば、親画面の字幕を表示する領域である第３領域の少なくとも一部が、他のテレビジョン放送に対応する映像である第２映像を子画面として表示する領域である第２領域と重なるか否かが判定される。そして、第３領域の少なくとも一部が第２領域と重なると判定された場合に、第３領域と前記第２領域との重なりを回避するべく第３領域の位置及び大きさの少なくとも一方が変更され、変更後の第３領域の位置及び大きさを規定する新字幕座標情報が生成され、生成された新字幕座標情報に基づいて、字幕の文字情報がモニタに表示されるため、子画面の映像を遮ることなく親画面の字幕を表示することができる。
【００２６】
請求項３に記載の放送受信装置によれば、第３領域の少なくとも一部が第２領域と重なると判定された場合に、第３領域の位置を、第２領域の周辺と隣接する位置であって、第２領域の上方側、下方側、右方側、及び、左方側のいずれか１の位置に移動させることによって、第３領域と第２領域との重なりを回避することができるか否かが判定され、重なりを回避することができると判定された場合に、第３領域の位置を、第２領域との重なりを回避することができる位置に変更するべく新字幕座標情報が生成されるため、簡素な構成で子画面の映像を遮ることなく親画面の字幕を表示することができる。
【００２７】
すなわち、第３領域の位置を、第２領域の周辺と隣接する位置であって、第２領域の上方側、下方側、右方側、及び、左方側のいずれか１の位置に移動させることによって、第３領域と第２領域との重なりを回避することができるため、第３領域の表示位置を移動するだけで重なりを回避することができるので、簡素な構成で子画面の映像を遮ることなく親画面の字幕を表示することができるのである。
【００２８】
請求項４に記載の放送受信装置によれば、第３領域の表示位置を移動するだけでは重なりを回避することができないと判定された場合に、第３領域の大きさを予め設定された所定の倍率に縮小し、縮小された第３領域の位置を、第２領域の周辺と隣接する位置であって、第２領域の上方側、下方側、右方側、及び、左方側のいずれか１の位置に移動させることによって、縮小された第３領域と第２領域との重なりを回避することができるか否かが判定される。そして、重なりを回避することができると判定された場合に、第３領域の位置及び大きさを、第２領域との重なりを回避することができる位置及び大きさに変更するべく新字幕座標情報が生成され、生成された新字幕座標情報に基づいて、字幕の文字情報が所定の倍率に縮小されてモニタに表示されるため、更に確実に子画面の映像を遮ることなく親画面の字幕を表示することができる。
【００２９】
すなわち、第３領域の表示位置を移動するだけでは重なりを回避することができないと判定された場合であっても、第３領域の大きさを適正な倍率に縮小する（＝第３領域の大きさを縮小する倍率を適正に設定する）ことによって第２領域との重なりを回避することができるため、更に確実に子画面の映像を遮ることなく親画面の字幕を表示することができるのである。
【００３０】
請求項５に記載の放送受信装置によれば、第３領域の表示位置を移動するだけでは重なりを回避することができないと判定された場合に、第２領域との重なりを回避することが可能な第３領域の大きさを縮小する倍率である縮小倍率が求められると共に、予め設定されたルールに従って、第３領域の移動先の位置が、第２領域の周辺と隣接する位置であって、第２領域の上方側、下方側、右方側、及び、左方側のいずれか１の位置に決定される。そして、第３領域の大きさ及び位置が、それぞれ、求められた縮小倍率により規定される大きさ、及び、決定された移動先の位置、に変更するべく新字幕座標情報が生成され、生成された新字幕座標情報に基づいて、字幕の文字情報が、求められた縮小倍率に縮小されてモニタに表示されるため、更に確実に子画面の映像を遮ることなく親画面の字幕を表示することができる。
【００３１】
すなわち、第３領域の表示位置を移動するだけでは重なりを回避することができないと判定された場合であっても、第２領域との重なりを回避することが可能な第３領域の大きさを縮小する倍率である縮小倍率が求められるため、更に確実に子画面の映像を遮ることなく親画面の字幕を表示することができるのである。
【００３２】
また、予め設定されたルールに従って、第３領域の移動先の位置が、第２領域の周辺と隣接する位置であって、第２領域の上方側、下方側、右方側、及び、左方側のいずれか１の位置に決定されるため、例えば、縮小倍率を最大とする位置に決定する場合（＝予め設定されたルールが、縮小倍率を最大とする位置に決定するものである場合）には、親画面の字幕を大きく表示することができる。また、例えば、第３領域の移動量が最小となる位置に決定する場合（＝予め設定されたルールが、第３領域の移動量が最小となる位置に決定するものである場合）には、親画面に表示される番組の制作者の意図した位置に近い位置に字幕を表示することができる。
【００３３】
請求項６に記載の放送受信装置によれば、第３領域の移動先の位置が、第２領域の周辺と隣接する位置であって、第２領域の上方側、下方側、右方側、及び、左方側の４つの位置の内、第３領域の移動量が最小となる位置に決定され、決定された位置において、第２領域との重なりを回避することが可能な第３領域の大きさを縮小する倍率である縮小倍率が求められる。そして、第３領域の大きさ及び位置が、それぞれ、求められた縮小倍率により規定される大きさ、及び、決定された移動先の位置、に変更するべく新字幕座標情報が生成され、生成された新字幕座標情報に基づいて、字幕の文字情報が最大の縮小倍率に縮小されてモニタに表示されるため、親画面に表示される番組の制作者の意図した位置に近い位置に字幕を表示することができる。
【００３４】
すなわち、第３領域の移動先の位置が、第２領域の周辺と隣接する位置であって、第２領域の上方側、下方側、右方側、及び、左方側の４つの位置の内、第３領域の移動量が最小となる位置に決定されるため、親画面に表示される番組の制作者の意図した位置（＝親画面の映像の視認に適した位置）に近い位置に字幕を表示することができるのである。
【００３５】
請求項７に記載の放送受信装置によれば、第３領域の移動量として、移動前の第３領域の中心位置と、移動後の第３領域の内、第１領域内に表示される領域の中心位置との距離が求められるため、正確に且つ容易に第３領域の移動量を求めることができる。
【００３６】
請求項８に記載の放送受信装置によれば、第３領域の位置が、第２領域の周辺と隣接する位置であって、第２領域の上方側、下方側、右方側、及び、左方側の各位置に移動させた場合に、第２領域との重なりを回避することが可能な第３領域の大きさを縮小する倍率である縮小倍率がそれぞれ求められる。そして、求められた４つの縮小倍率の内、最大の縮小倍率に対応する第３領域の位置が第３領域の移動先の位置として決定される。また、第３領域の大きさ及び位置が、それぞれ、求められた４つの縮小倍率の内、最大の縮小倍率により規定される大きさ、及び、決定された移動先の位置、に変更するべく新字幕座標情報が生成され、字幕の文字情報が最大の縮小倍率に縮小されてモニタに表示されるため、親画面の字幕を大きく表示することができる。
【００３７】
すなわち、第２領域の上方側、下方側、右方側、及び、左方側の各位置に移動させた場合に、第２領域との重なりを回避することが可能な第３領域の大きさを縮小する倍率である縮小倍率がそれぞれ求められ、求められた４つの縮小倍率の内、最大の縮小倍率に字幕の文字情報が縮小されてモニタに表示されるため、親画面の字幕を大きく表示することができるのである。
【００３８】
請求項９に記載の放送受信装置によれば、第３領域の位置を、第２領域の上方側、下方側、右方側、及び、左方側のいずれか１の位置であって、前記第２領域の周辺と隣接する位置に移動させた場合に、第３領域の内、親画面の表示領域である第１領域内に表示される領域の全体領域に対する比率に基づいて、縮小倍率が求められるため、適正な縮小倍率を容易に求めることができる。
【００３９】
すなわち、例えば、縮小倍率を、第３領域の内、親画面の表示領域である第１領域内に表示される領域の全体領域に対する比率に略一致させることによって、第２領域との重なりを回避することができ、且つ、可能な限り大きな縮小倍率が求められるため、適正な縮小倍率を容易に求めることができるのである。
【発明を実施するための最良の形態】
【００４０】
以下に本発明の実施形態を、図面を参照しながら説明する。図１は、本発明に係るデジタル放送受信装置の構成の一例を示すブロック図である。デジタル放送受信機１（放送受信装置に相当する）は、テレビジョン放送を受信し、後述するディスプレイ１８３及びスピーカ１６３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、画像合成部１９を備えている。
【００４１】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００４２】
操作部１４は、電源のＯＮ、ＯＦＦ操作、選局等の各種操作を受け付けるものである。受信部１５は、テレビジョン放送を受信して復調するものであって、１のテレビジョン放送を受信する第１受信部１５Ａ（第１受信手段に相当する）と、他のテレビジョン放送を受信する第２受信部１５Ｂ（第２受信手段に相当する）と、を備えている。第１受信部１５Ａと第２受信部１５Ｂとは、略同一の構成を有するため、以下の説明においては、特に必要な場合を除いて、両者を区別することなく受信部１５と総称する。受信部１５は、アンテナ部１５１、チューナ部１５２、Ａ／Ｄ変換部１５３、復調部１５４、及び、ＴＳデマルチプレクサ１５５を備えている。
【００４３】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００４４】
音声出力部１６は、受信部１５によって受信された１のテレビジョン放送（又は他のテレビジョン放送）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００４５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００４６】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００４７】
画像合成部１９（映像表示手段の一部、及び、字幕表示手段の一部に相当する）は、第１受信部１５Ａによって受信された１のテレビジョン放送に対応する映像である第１映像を親画面としてディスプレイ１８３に表示すると共に、第２受信部１５Ｂによって受信された他のテレビジョン放送に対応する映像である第２映像を子画面としてディスプレイ１８３に表示するべく、画像合成処理を行うものである。すなわち、画像合成部１９は、第１受信部１５Ａによって受信された１のテレビジョン放送に対応する映像である第１映像をディスプレイ１８３の表示領域全体（第１領域に相当する）に表示する親画面とし、第２受信部１５Ｂによって受信された他のテレビジョン放送に対応する映像である第２映像を親画面の一部分の領域（第２領域に相当する）に（例えば、親画面の右部に）表示する子画面として合成して、合成画像を生成するものである（図３参照）。また、画像合成部１９は、第１映像と第２映像とが合成された合成画像に、第１受信部１５Ａによって受信された１のテレビジョン放送に対応する字幕を描画するものである（図３参照）。
【００４８】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４９】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、字幕情報、制御情報等からなり、これらの情報がＴＳデマルチプレクサ１５５によって、分離して出力され、ＲＡＭ１２に格納される。そして、ＲＡＭ１２から読み出された１のテレビジョン放送（又は他のテレビジョン放送）に対応する音声情報がＤ／Ａ変換部１６１によってアナログ信号に変換され、音声信号出力部１６２を介してスピーカ１６３から音声が出力される。
【００５０】
また、ＲＡＭ１２から読み出された１のテレビジョン放送及び他のテレビジョン放送に対応する動画像情報がＭＰＥＧ２デコード部１７によって圧縮前の動画像情報に復号化され、画像合成部１９によって画像合成されて合成画像が生成され、生成された合成画像に１のテレビジョン放送に対応する字幕が描画された後、ＮＴＳＣエンコード部１８１によってＮＴＳＣ方式のテレビジョン信号に変換されて、映像信号出力部１８２を介してディスプレイ１８３に動画像（＝１のテレビジョン放送及び他のテレビジョン放送に対応する動画像情報がそれぞれ親画面及び子画面として合成された合成動画像）と、１のテレビジョン放送に対応する字幕とが表示される。
【００５１】
図２は、本発明に係るデジタル放送受信機１における主要部の構成の一例を示すブロック図である。図１に示すデジタル放送受信機１のＭＰＵ１１は、機能的に、映像表示部１１１、字幕取得部１１２、干渉判定部１１３、第１判定部１１４、移動先決定部１１５、倍率算出部１１６、字幕位置変更部１１７、及び、字幕表示部１１８を備えている。
【００５２】
ここでは、ＭＰＵ１１が、図１に示すＲＯＭ１３等に予め格納された制御プログラムを読み出して実行することにより、映像表示部１１１、字幕取得部１１２、干渉判定部１１３、第１判定部１１４、移動先決定部１１５、倍率算出部１１６、字幕位置変更部１１７、字幕表示部１１８等の機能部として機能するものである。
【００５３】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００５４】
映像表示部１１１（映像表示手段の一部に相当する）は、画像合成部１９を介して、第１受信部１５Ａによって受信された１のテレビジョン放送に対応する映像である第１映像を親画面としてディスプレイ１８３の予め設定された第１領域（ここでは、ディスプレイ１８３の表示領域全体）に表示すると共に、第２受信部１５Ｂによって受信された他のテレビジョン放送に対応する映像である第２映像を子画面としてディスプレイ１８３の第１領域内に予め設定された第２領域（ここでは、親画面の右部の領域）に表示するものである。
【００５５】
字幕取得部１１２（字幕取得手段に相当する）は、第１受信部１５Ａを介して、１のテレビジョン放送に対応する字幕の文字情報を取得すると共に、第１領域（ここでは、ディスプレイ１８３の表示領域全体）内に予め設定され、字幕を表示する領域である第３領域の位置及び大きさを規定する字幕座標情報を取得するものである。
【００５６】
干渉判定部１１３（干渉判定手段に相当する）は、子画面を表示する領域である第２領域の位置及び大きさを規定する子画面座標情報、及び、字幕取得部１１２によって取得された字幕座標情報に基づいて、字幕を表示する領域である第３領域の少なくとも一部が第２領域と重なるか否か（＝干渉が発生するか否か）を判定するものである。
【００５７】
図３は、干渉判定部１１３による干渉の判定方法の一例を説明する画面図である。ディスプレイ１８３に表示される画面２００には、親画面２０１、子画面２０２、及び、字幕領域２０３が表示されている。親画面２０１は、第１受信部１５Ａによって受信された１のテレビジョン放送に対応する映像である第１映像を表示する画面である。子画面２０２は、第２受信部１５Ｂによって受信された他のテレビジョン放送に対応する映像である第２映像を表示する画面である。字幕領域２０３は、親画面２０１に対応する（＝第１受信部１５Ａによって受信された１のテレビジョン放送に対応する）字幕を表示するものである。ここでは、字幕領域２０３の右上部が、子画面２０２の左下部と重なり（干渉しており）、子画面２０２の一部が字幕によって遮られる領域である干渉領域２０４が発生している。
【００５８】
画面２００の左上端を基準（＝原点）として、右向きにＸ座標をとり、下向きにＹ座標をとり、親画面２０１の左上端（＝原点）の座標を（Ｘｍｉｎ、Ｙｍｉｎ）、親画面２０１の右下端の座標を（Ｘｍａｘ、Ｙｍａｘ）とする。また、子画面２０２の左上端の座標を（Ｘｓｌ、Ｙｓｔ）、子画面２０２の右下端の座標を（Ｘｓｒ、Ｙｓｂ）とする。そして、字幕領域２０３の左上端の座標を（Ｘｃｌ、Ｙｃｔ）、字幕領域２０３の右下端の座標を（Ｘｃｒ、Ｙｃｂ）とする。この場合に、子画面２０２の一部が字幕によって遮られる領域が発生するか否かを、干渉判定部１１３は、次の（１）式を満たすか否かによって判定するものである。
（（（Ｘｓｌ＜Ｘｃｌ＜Ｘｓｒ）ＯＲ（Ｘｓｌ＜Ｘｃｒ＜Ｘｓｒ）ＯＲ（Ｘｃｌ＜Ｘｓｌ＜Ｘｃｒ）ＯＲ（Ｘｃｌ＜Ｘｓｒ＜Ｘｃｒ）)  ＡＮＤ  （（Ｙｓｔ＜Ｙｃｔ＜Ｙｓｂ）ＯＲ（Ｙｓｔ＜Ｙｃｂ＜Ｙｓｂ）ＯＲ（Ｙｃｔ＜Ｙｓｔ＜Ｙｃｂ）ＯＲ（Ｙｃｔ＜Ｙｓｂ＜Ｙｃｂ）））      （１）
すなわち、干渉判定部１１３は、（１）式を満たす場合に、子画面２０２の一部が字幕によって遮られる領域が発生すると判定するものである。
【００５９】
再び、図２に戻って、ＭＰＵ１１の機能構成について説明する。第１判定部１１４（第１判定手段に相当する）は、干渉判定部１１３によって第３領域の少なくとも一部が第２領域と重なると判定された場合に、第３領域の位置を、第２領域の周辺と隣接する位置であって、第２領域の上方側、下方側、右方側、及び、左方側のいずれか１の位置に移動させることによって、第３領域が画面からはみ出すことなく第３領域と第２領域との重なりを回避することができるか否かを判定するものである。なお、ここでは、「第３領域が画面からはみ出すことなく第３領域と第２領域との重なりを回避することができる」ことを、便宜上、「第３領域と第２領域との重なりを回避することができる」と記載している。
【００６０】
図４、図５は、第１判定部１１４による干渉の判定方法の一例を説明する画面図である。図４（ａ）は、第３領域（＝字幕領域）の位置を、第２領域（＝子画面）の周辺と隣接する位置であって、第２領域の上方側の位置に移動させた場合の画面図２１０である。図４（ｂ）は、第３領域（＝字幕領域）の位置を、第２領域（＝子画面）の周辺と隣接する位置であって、第２領域の下方側の位置に移動させた場合の画面図２２０である。図５（ａ）は、第３領域（＝字幕領域）の位置を、第２領域（＝子画面）の周辺と隣接する位置であって、第２領域の左方側の位置に移動させた場合の画面図２３０である。図５（ｂ）は、第３領域（＝字幕領域）の位置を、第２領域（＝子画面）の周辺と隣接する位置であって、第２領域の右方側の位置に移動させた場合の画面図２４０である。図４、図５に示すように、ここでは、第３領域の位置を、第２領域の周辺と隣接する位置であって、第２領域の上方側、下方側、右方側、及び、左方側のいずれの位置に移動させた場合であっても、第３領域が画面からはみ出すことなく第３領域と第２領域との重なりを回避することができない。
【００６１】
図４、図５に示す画面図２１０〜２４０には、それぞれ、親画面２１１〜２４１、子画面２１２〜２４２、字幕領域２１３〜２４３、及び、はみ出し領域２１４〜２４４が表示されている。はみ出し領域２１４〜２４４は、ぞれぞれ、字幕領域２１３〜２４３の内、親画面２１１〜２１４からはみ出した領域である。
【００６２】
図４（ａ）に示す画面図２１０における字幕領域２１３の左上端の座標（Ｘｃｌ１、Ｙｃｔ１）、右下端の座標（Ｘｃｒ１、Ｙｃｂ１）は、次の（２）〜（５）式で求められる。
Ｘｃｌ１＝Ｘｃｌ      （２）
Ｙｃｔ１＝Ｙｃｔ−ｄ１      （３）
Ｘｃｒ１＝Ｘｃｒ      （４）
Ｙｃｂ１＝Ｙｃｂ−ｄ１      （５）
ここで、移動量ｄ１は、字幕領域を第２領域（＝子画面）の周辺（ここでは、上辺）と隣接する位置であって、第２領域の上方側の位置に移動させた場合の移動量であって、次の（６）式で求められる。
ｄ１＝Ｙｃｂ−Ｙｓｔ      （６）
【００６３】
図４（ｂ）に示す画面図２２０における字幕領域２２３の左上端の座標（Ｘｃｌ２、Ｙｃｔ２）、右下端の座標（Ｘｃｒ２、Ｙｃｂ２）は、次の（７）〜（１０）式で求められる。
Ｘｃｌ２＝Ｘｃｌ      （７）
Ｙｃｔ２＝Ｙｃｔ＋ｄ２      （８）
Ｘｃｒ２＝Ｘｃｒ      （９）
Ｙｃｂ２＝Ｙｃｂ＋ｄ２      （１０）
ここで、移動量ｄ２は、字幕領域を第２領域（＝子画面）の周辺（ここでは、下辺）と隣接する位置であって、第２領域の下方側の位置に移動させた場合の移動量であって、次の（１１）式で求められる。
ｄ２＝Ｙｓｂ−Ｙｃｔ      （１１）
【００６４】
図５（ａ）に示す画面図２３０における字幕領域２３３の左上端の座標（Ｘｃｌ３、Ｙｃｔ３）、右下端の座標（Ｘｃｒ３、Ｙｃｂ３）は、次の（１２）〜（１５）式で求められる。
Ｘｃｌ３＝Ｘｃｌ−ｄ３      （１２）
Ｙｃｔ３＝Ｙｃｔ      （１３）
Ｘｃｒ３＝Ｘｃｒ−ｄ３      （１４）
Ｙｃｂ３＝Ｙｃｂ      （１５）
ここで、移動量ｄ３は、字幕領域を第２領域（＝子画面）の周辺（ここでは、左辺）と隣接する位置であって、第２領域の左方側の位置に移動させた場合の移動量であって、次の（１６）式で求められる。
ｄ３＝Ｘｃｒ−Ｘｓｌ      （１６）
【００６５】
図５（ｂ）に示す画面図２４０における字幕領域２４３の左上端の座標（Ｘｃｌ４、Ｙｃｔ４）、右下端の座標（Ｘｃｒ４、Ｙｃｂ４）は、次の（１７）〜（２０）式で求められる。
Ｘｃｌ４＝Ｘｃｌ＋ｄ４      （１７）
Ｙｃｔ４＝Ｙｃｔ      （１８）
Ｘｃｒ４＝Ｘｃｒ＋ｄ４      （１９）
Ｙｃｂ４＝Ｙｃｂ      （２０）
ここで、移動量ｄ４は、字幕領域を第２領域（＝子画面）の周辺（ここでは、左辺）と隣接する位置であって、第２領域の左方側の位置に移動させた場合の移動量であって、次の（２１）式で求められる。
ｄ４＝Ｘｓｒ−Ｘｃｌ      （２１）
【００６６】
第１判定部１１４は、上述のようにして求められた字幕領域２１３〜２４３の左上端及び右下端の座標が次の（２２）式を満たすか否かに基づいて第３領域と第２領域との重なりを回避することができるか否かを判定するものである。
（（Ｘｃｌ’  ＜  Ｘｍｉｎ）  ＯＲ  （Ｘｃｒ’  ＞  Ｘｍａｘ）  ＯＲ  （Ｙｃｔ’  ＜  Ｙｍｉｎ）  ＯＲ  （Ｙｃｂ’  ＞  Ｙｍａｘ））      （２２）
ここで、Ｘｃｌ’、Ｘｃｒ’、Ｙｃｔ’及びＹｃｂ’は、それぞれ、Ｘｃｌ１〜Ｘｃｌ４、Ｘｃｒ１〜Ｘｃｒ４、Ｙｃｔ１〜Ｙｃｔ４、及び、Ｙｃｂ１〜Ｙｃｂ４のいずれか１である。すなわち、第１判定部１１４は、（２２）式を満たす場合には、第３領域が画面からはみ出す（＝第３領域と第２領域との重なりを回避することができない）と判定するものである。
【００６７】
再び、図２に戻って、ＭＰＵ１１の機能構成について説明する。移動先決定部１１５（移動先決定手段に相当する）は、第１判定部１１４によって重なりを回避することができないと判定された場合に、第２領域の周辺と隣接する位置であって、第２領域の上方側、下方側、右方側、及び、左方側の４つの位置の内、第３領域の移動量が最小となる位置を、第３領域の移動先の位置として決定するものである。ここで、移動先決定部１１５は、第３領域の移動量として、移動前の第３領域の中心位置と、移動後の第３領域の内、第１領域内に表示される領域の中心位置との距離を求めるものである。
【００６８】
図６は、移動先決定部１１５による移動量の算出方法の一例を説明する説明図である。（ａ）は、第３領域（＝字幕領域）を第２領域（＝子画面）の周辺（ここでは、下辺）と隣接する位置であって、第２領域の下方の位置に移動させた場合を示している。（ｂ）は、第３領域（＝字幕領域）を第２領域（＝子画面）の周辺（ここでは、左辺）と隣接する位置であって、第２領域の左方の位置に移動させた場合を示している。（ｃ）は、第３領域（＝字幕領域）を第２領域（＝子画面）の周辺（ここでは、右辺）と隣接する位置であって、第２領域の右方の位置に移動させた場合を示している。（ｄ）は、第３領域（＝字幕領域）を第２領域（＝子画面）の周辺（ここでは、上辺）と隣接する位置であって、第２領域の上方の位置に移動させた場合を示している。
【００６９】
図６（ａ）〜（ｄ）において、位置Ｐ０は、移動前の第３領域（＝字幕領域）の中心位置であって、位置Ｐ１〜Ｐ４は、それぞれ、移動後の第３領域（＝字幕領域）の内、第１領域（親画面）内に表示される領域の中心位置である。移動先決定部１１５は、位置Ｐ０と、位置Ｐ１〜Ｐ４との距離を、それぞれ、移動量Ｄ１〜Ｄ４として求めるものである。ここでは、移動量Ｄ１〜Ｄ４の内、移動量Ｄ１が最も小さいため、移動先決定部１１５は、第３領域の移動先の位置として、図６（ａ）に示す位置に決定する。
【００７０】
再び、図２に戻って、ＭＰＵ１１の機能構成について説明する。倍率算出部１１６（倍率算出手段に相当する）は、移動先決定部１１５によって決定された第３領域の移動先の位置において、第２領域との重なりを回避することが可能な第３領域の大きさを縮小する倍率である縮小倍率を求めるものである。具体的には、倍率算出部１１６は、縮小倍率を、第３領域（＝字幕領域）の内、親画面の表示領域である第１領域内に表示される領域の全体領域に対する比率と一致させることによって求めるものである。
【００７１】
図７は、倍率算出部１１６による縮小倍率の算出方法の一例を説明する画面図である。図７（ａ）は、図４（ｂ）と同一の画面図であって、第３領域（＝字幕領域）の位置を、第２領域（＝子画面）の周辺と隣接する位置であって、第２領域の下方側の位置に移動させた場合の画面図２５０である。図７（ｂ）は、倍率算出部１１６により求められた縮小倍率を用いて字幕表示部１１８によって表示された字幕を含む画面の画面図２６０である。
【００７２】
画面図２５０には、親画面２５１、子画面２５２、字幕領域２５３、及び、はみ出し領域２５４が表示されている。はみ出し領域２５４は、字幕領域２５３の内、親画面２５１からはみ出した領域である。また、図７（ａ）には、字幕領域２５３の高さＨ０と、字幕領域２５３の内、親画面の表示領域である第１領域内に表示される領域の高さＨ１と、を示している。倍率算出部１１６は、高さＨ１の高さＨ０に対する比率（＝Ｈ１／Ｈ０）を縮小倍率として求める。
【００７３】
画面図２６０には、親画面２６１、子画面２６２、及び、字幕領域２６３が表示されている。字幕領域２６３は、図７（ａ）に示す字幕領域２５３を、倍率算出部１１６によって求められた縮小倍率（＝Ｈ１／Ｈ０）に縮小したものである。また、字幕領域２６３に表示されている文字情報は、字幕表示部１１８によって、倍率算出部１１６により求められた縮小倍率（＝Ｈ１／Ｈ０）に縮小されたものである。図７（ｂ）に示すように、字幕領域を縮小倍率（＝Ｈ１／Ｈ０）に縮小することによって字幕領域が画面からはみ出すことなく字幕領域と子画面との重なりを回避することができる。
【００７４】
再び、図２に戻って、ＭＰＵ１１の機能構成について説明する。字幕位置変更部１１７（字幕位置変更手段に相当する）は、干渉判定部１１３によって第３領域の少なくとも一部が第２領域と重なると判定された場合に、第３領域と第２領域との重なりを回避するべく第３領域の位置及び大きさの少なくとも一方を変更し、変更後の第３領域の位置及び大きさを規定する新字幕座標情報を生成するものである。
【００７５】
具体的には、字幕位置変更部１１７は、第１判定部１１４によって重なりを回避することができると判定された場合に、第３領域の位置を、第２領域との重なりを回避することができる位置に変更するべく新字幕座標情報を生成するものである。また、字幕位置変更部１１７は、第１判定部１１４によって重なりを回避することができないと判定された場合に、第３領域の大きさ及び位置を、それぞれ、倍率算出部１１６によって求められた縮小倍率により規定される大きさ、及び、移動先決定部１１５によって決定された移動先の位置、に変更するべく新字幕座標情報を生成するものである。
【００７６】
字幕表示部１１８（字幕表示手段の一部に相当する）は、字幕取得部１１２によって取得された字幕座標情報又は字幕位置変更部１１７によって生成された新字幕座標情報に基づいて、字幕取得部１１２によって取得された文字情報をディスプレイ１８３に表示するものである。また、字幕表示部１１８は、第１判定部１１４によって重なりを回避することができないと判定された場合に、字幕取得部１１２によって取得された文字情報を倍率算出部１１６によって求められた縮小倍率に縮小してディスプレイ１８３に表示するものである。
【００７７】
図８は、デジタル放送受信機１（主にＭＰＵ１１）の動作の一例を示すフローチャートである。ここでは、便宜上、予め、映像表示部１１１によって、画像合成部１９を介して、第１受信部１５Ａによって受信された１のテレビジョン放送に対応する映像である第１映像（＝親画面）と、第２受信部１５Ｂによって受信された他のテレビジョン放送に対応する映像である第２映像（＝子画面）とが合成されて合成画像が生成されており、字幕取得部１１２によって、第１受信部１５Ａを介して、１のテレビジョン放送に対応する字幕の文字情報、及び、字幕を表示する領域である第３領域の位置及び大きさを規定する字幕座標情報が取得されている場合について説明する。
【００７８】
まず、干渉判定部１１３によって、第３領域（＝字幕領域）の少なくとも一部が第２領域と重なるか否か（＝干渉が発生するか否か）が判定される（Ｓ１０１）。干渉が発生しないと判定された場合（Ｓ１０１でＮＯ）には、処理がステップＳ１１５に進められる。干渉が発生すると判定された場合（Ｓ１０１でＹＥＳ）には、第１判定部１１４によって、第３領域の位置が、第２領域の周辺と隣接する位置であって、第２領域の上方側、下方側、右方側、及び、左方側のいずれか１の位置に移動され（Ｓ１０３）、第３領域が画面からはみ出すことなく第３領域と第２領域との重なりを回避することができるか否かが判定される（Ｓ１０５）。重なりを回避することができると判定された場合（Ｓ１０５でＹＥＳ）には、処理がステップＳ１１３に進められる。
【００７９】
重なりを回避することができないと判定された場合（Ｓ１０５でＹＥＳ）には、移動先決定部１１５によって、第２領域（＝子画面）の周辺と隣接する位置であって、第２領域の上方側、下方側、右方側、及び、左方側の４つの位置に移動した場合の移動量Ｄ１〜Ｄ４が算出される（Ｓ１０７）。そして、移動先決定部１１５によって、第３領域（＝字幕領域）の移動量Ｄ１〜Ｄ４が最小となる位置が、第３領域の移動先の位置として決定される（Ｓ１０９）。次いで、倍率算出部１１６によって、ステップＳ１０９において決定された第３領域の移動先の位置において、第２領域との重なりを回避することが可能な第３領域の大きさを縮小する倍率である縮小倍率が求められる（Ｓ１１１）。
【００８０】
ステップＳ１１１が終了した場合、又は、ステップＳ１０５でＹＥＳの場合には、字幕位置変更部１１７によって、第３領域の位置（及び大きさ）を、第２領域との重なりを回避することができる位置（及び大きさ）に変更するべく新字幕座標情報が生成される（Ｓ１１３）。ステップＳ１１３が終了した場合、又は、ステップＳ１０１でＹＥＳの場合には、字幕取得部１１２によって取得された字幕座標情報又はステップ１１３において生成された新字幕座標情報に基づいて、字幕取得部１１２によって取得された文字情報がディスプレイ１８３に表示され（Ｓ１１５）、処理が終了される。
【００８１】
図９は、図８に示すフローチャートのステップＳ１１１における倍率算出処理の一例を示す詳細フローチャートである。なお、以下の処理は全て、倍率算出部１１６によって行われる。まず、図８に示すフローチャートのステップＳ１０９において決定された位置に字幕領域が移動される（Ｓ２０１）。そして、幅方向に干渉しているか否か（＝字幕領域の右端又は左端が親画面の表示領域である第１領域からはみ出しているか否か）の判定が行われる（Ｓ２０３）。幅方向には干渉していないと判定された場合（Ｓ２０３でＮＯ）には、ステップＳ２１１に処理が進められる。
【００８２】
幅方向に干渉していると判定された場合（Ｓ２０３でＹＥＳ）には、字幕領域の幅Ｂ０が算出される（Ｓ２０５）。そして、親画面の表示領域である第１領域内に表示されている字幕領域の幅Ｂ１が算出される（Ｓ２０７）。次いで、幅方向の縮小倍率αが、次の（２３）式により求められる（Ｓ２０９）。
α＝Ｂ１／Ｂ０      （２３）
【００８３】
ステップＳ２０９の処理が終了した場合、又は、ステップＳ２０３でＮＯの場合には、高さ方向に干渉しているか否か（＝字幕領域の上端又は下端が親画面の表示領域である第１領域からはみ出しているか否か）の判定が行われる（Ｓ２１１）。高さ方向には干渉していないと判定された場合（Ｓ２１１でＮＯ）には、ステップＳ２１９１に処理が進められる。字幕領域の高さＨ０が算出される（Ｓ２１３）。そして、親画面の表示領域である第１領域内に表示されている字幕領域の高さＨ１が算出される（Ｓ２１５）。次いで、高さ方向の縮小倍率βが、次の（２４）式により求められる（Ｓ２１７）。
β＝Ｈ１／Ｈ０      （２４）
【００８４】
ステップＳ２１７の処理が終了した場合、又は、ステップＳ２１１でＮＯの場合には、ステップＳ２０９及びステップＳ２１７で算出された幅方向の縮小倍率α及び高さ方向の縮小倍率βの内、少なくとも一方を用いて縮小倍率が求められ（Ｓ２１９）、処理がリターンされる。ここで、幅方向の縮小倍率α及び高さ方向の縮小倍率βが算出されている場合には、幅方向の縮小倍率α及び高さ方向の縮小倍率βの内、小さい方が縮小倍率として求められる。
【００８５】
このようにして、親画面の字幕を表示する領域である第３領域の少なくとも一部が、他のテレビジョン放送に対応する映像である第２映像を子画面として表示する領域である第２領域と重なるか否かが判定される。そして、第３領域の少なくとも一部が第２領域と重なると判定された場合に、第３領域と前記第２領域との重なりを回避するべく第３領域の位置及び大きさの少なくとも一方が変更され、変更後の第３領域の位置及び大きさを規定する新字幕座標情報が生成され、生成された新字幕座標情報に基づいて、字幕の文字情報がディスプレイ１８３に表示されるため、子画面の映像を遮ることなく親画面の字幕を表示することができる。
【００８６】
また、第３領域の少なくとも一部が第２領域と重なると判定された場合に、第３領域の位置を、第２領域の周辺と隣接する位置であって、第２領域の上方側、下方側、右方側、及び、左方側のいずれか１の位置に移動させることによって、第３領域と第２領域との重なりを回避することができるか否かが判定され、重なりを回避することができると判定された場合に、第３領域の位置を、第２領域との重なりを回避することができる位置に変更するべく新字幕座標情報が生成されるため、簡素な構成で子画面の映像を遮ることなく親画面の字幕を表示することができる。
【００８７】
すなわち、第３領域の位置を、第２領域の周辺と隣接する位置であって、第２領域の上方側、下方側、右方側、及び、左方側のいずれか１の位置に移動させることによって、第３領域と第２領域との重なりを回避することができるため、第３領域の表示位置を移動するだけで重なりを回避することができるので、簡素な構成で子画面の映像を遮ることなく親画面の字幕を表示することができるのである。
【００８８】
更に、第３領域の表示位置を移動するだけでは重なりを回避することができないと判定された場合に、第２領域との重なりを回避することが可能な第３領域の大きさを縮小する倍率である縮小倍率が求められると共に、予め設定されたルール（ここでは、「第３領域の移動先の位置を、移動量が最小となる位置に決定する」とのルール）に従って、第３領域の移動先の位置が、第２領域の周辺と隣接する位置であって、第２領域の上方側、下方側、右方側、及び、左方側のいずれか１の位置に決定される。そして、第３領域の大きさ及び位置が、それぞれ、求められた縮小倍率により規定される大きさ、及び、決定された移動先の位置、に変更するべく新字幕座標情報が生成され、生成された新字幕座標情報に基づいて、字幕の文字情報が、求められた縮小倍率に縮小されてディスプレイ１８３に表示されるため、更に確実に子画面の映像を遮ることなく親画面の字幕を表示することができる。
【００８９】
すなわち、第３領域の表示位置を移動するだけでは重なりを回避することができないと判定された場合であっても、第２領域との重なりを回避することが可能な第３領域の大きさを縮小する倍率である縮小倍率が求められるため、更に確実に子画面の映像を遮ることなく親画面の字幕を表示することができるのである。
【００９０】
加えて、第３領域の移動先の位置が、第２領域の周辺と隣接する位置であって、第２領域の上方側、下方側、右方側、及び、左方側の４つの位置の内、第３領域の移動量が最小となる位置（図６参照）に決定され、決定された位置において、第２領域との重なりを回避することが可能な第３領域の大きさを縮小する倍率である縮小倍率が求められる。そして、第３領域の大きさ及び位置が、それぞれ、求められた縮小倍率により規定される大きさ、及び、決定された移動先の位置、に変更するべく新字幕座標情報が生成され、生成された新字幕座標情報に基づいて、字幕の文字情報が最大の縮小倍率に縮小されてディスプレイ１８３に表示されるため、親画面に表示される番組の制作者の意図した位置に近い位置に字幕を表示することができる。
【００９１】
すなわち、第３領域の移動先の位置が、第２領域の周辺と隣接する位置であって、第２領域の上方側、下方側、右方側、及び、左方側の４つの位置の内、第３領域の移動量が最小となる位置に決定されるため、親画面に表示される番組の制作者の意図した位置（＝親画面の映像の視認に適した位置）に近い位置に字幕を表示することができるのである。
【００９２】
また、第３領域の移動量として、移動前の第３領域の中心位置と、移動後の第３領域の内、第１領域内に表示される領域の中心位置との距離が求められるため、正確に且つ容易に第３領域の移動量を求めることができる。
【００９３】
更に、第３領域の位置を、第２領域の上方側、下方側、右方側、及び、左方側のいずれか１の位置であって、前記第２領域の周辺と隣接する位置に移動させた場合に、第３領域の内、親画面の表示領域である第１領域内に表示される領域の全体領域に対する比率に基づいて、縮小倍率が求められる（図７参照）ため、適正な縮小倍率を容易に求めることができる。
【００９４】
すなわち、縮小倍率を、第３領域の内、親画面の表示領域である第１領域内に表示される領域の全体領域に対する比率に一致させることによって、第２領域との重なりを回避することができ、且つ、可能な限り大きな縮小倍率が求められるため、適正な縮小倍率を容易に求めることができるのである。
【００９５】
なお、本発明は、以下の形態にも適用可能である。
（Ａ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００９６】
（Ｂ）本実施形態では、第１判定部１１４によって重なりを回避することができないと判定された場合に、移動先決定部１１５が第３領域の移動先の位置を決定し、倍率算出部１１６が縮小倍率を求める場合について説明したが、第１判定部１１４によって重なりを回避することができないと判定された場合に、第３領域の大きさを予め設定された所定の倍率（例えば、０．７倍）に縮小し、縮小された第３領域の位置を、第２領域の周辺と隣接する位置であって、第２領域の上方側、下方側、右方側、及び、左方側のいずれか１の位置に移動させることによって、縮小された第３領域と前記第２領域との重なりを回避することができるか否かを判定する第２判定部（第２判定手段に相当する）を備える形態でもよい。この場合には、処理が簡略化される。
【００９７】
（Ｃ）本実施形態では、移動先決定部１１５が、第３領域の移動量が最小となる位置を、第３領域の移動先の位置として決定する場合について説明したが、移動先決定部１１５が、第３領域の縮小倍率が最大となる位置を、第３領域の移動先の位置として決定する形態でもよい。この場合には、倍率算出部１１６が、第３領域の位置を、第２領域の周辺と隣接する位置であって、第２領域の上方側、下方側、右方側、及び、左方側の各位置に移動させた場合に、第２領域との重なりを回避することが可能な第３領域の大きさを縮小する倍率である縮小倍率をそれぞれ求める必要がある。また、この場合には、求められた４つの縮小倍率の内、最大の縮小倍率に字幕の文字情報が縮小されてディスプレイ１８３に表示されるため、親画面の字幕を大きく表示することができる。
【００９８】
（Ｄ）本実施形態では、移動先決定部１１５が、第３領域の移動量として、移動前の第３領域の中心位置と、移動後の第３領域の内、第１領域内に表示される領域の中心位置との距離を求める場合について説明したが、その他の方法で第３領域の移動量を求める形態でもよい。例えば、移動後の第３領域の４つの端点（上左端、上右端、下左端、下右端の４つの端点）の内、第１領域内に表示される端点の移動量を求める形態でもよい。この場合には、中心位置を求める処理が不要となり、処理が簡略化される。
【００９９】
（Ｅ）本実施形態では、倍率算出部１１６が、第３領域の内、親画面の表示領域である第１領域内に表示される領域の全体領域に対する比率に基づいて、縮小倍率を求める場合について説明したが、その他の方法で縮小倍率を求める形態でもよい。例えば、倍率算出部１１６が、予め設定された複数の縮小倍率の中から、第２領域との重なりを回避することが可能な縮小倍率を選定する形態でもよい。この場合には、処理が簡略化される。
【０１００】
（Ｆ）本実施形態では、干渉判定部１１３が、字幕取得部１１２によって、字幕情報が取得される度に、干渉の発生有無を判定する場合について説明したが、干渉判定部１１３が、字幕取得部１１２によって取得された字幕座標情報が変更される度に（＝字幕の表示位置又は大きさが変更される度に）、干渉の発生有無を判定する形態でもよい。この場合には、処理の負荷が軽減される。
【０１０１】
（Ｇ）本実施形態では、映像表示部１１１が、予め設定された第２領域に子画面を表示する場合について説明したが、映像表示部１１１が、外部からの操作入力を受け付けて、受け付けられた操作入力に基づいて子画面の位置及び大きさを設定する形態でもよい。この場合には、干渉判定部１１３は、映像表示部１１１によって子画面の位置及び大きさが変更される度に、干渉の発生有無を判定する必要がある。また、この場合には、ユーザが所望する位置及び大きさに子画面を表示することができるため、利便性が向上する。
【図面の簡単な説明】
【０１０２】
【図１】は、本発明に係るデジタル放送受信装置の構成の一例を示すブロック図である。
【図２】は、図１に示すデジタル放送受信機における主要部の構成の一例を示すブロック図である。
【図３】は、干渉判定部による干渉の判定方法の一例を説明する画面図である。
【図４】は、第１判定部による干渉の判定方法の一例を説明する画面図である（上下移動の場合）。
【図５】は、第１判定部による干渉の判定方法の一例を説明する画面図である（左右移動の場合）。
【図６】は、移動先決定部による移動量の算出方法の一例を説明する説明図である。
【図７】は、倍率算出部による縮小倍率の算出方法の一例を説明する画面図である。
【図８】は、デジタル放送受信機（主にＭＰＵ）の動作の一例を示すフローチャートである。
【図９】は、図８に示すフローチャートのステップＳ１１１における倍率算出処理の一例を示す詳細フローチャートである。
【符号の説明】
【０１０３】
１    デジタル放送受信機（放送受信装置）
１１    ＭＰＵ
１１１    映像表示部（映像表示手段の一部）
１１２    字幕取得部（字幕取得手段）
１１３    干渉判定部（干渉判定手段）
１１４    第１判定部（第１判定手段）
１１５    移動先決定部（移動先決定手段）
１１６    倍率算出部（倍率算出手段）
１１７    字幕位置変更部（字幕位置変更手段）
１１８    字幕表示部（字幕表示手段の一部）
１５    受信部
１５Ａ    第１受信部（第１受信手段）
１５Ｂ    第２受信部（第２受信手段）
１６    音声出力部
１６３    スピーカ
１８    画像出力部
１８３    ディスプレイ（モニタ）
１９    画像合成部（映像表示手段の一部、字幕取得手段の一部）
【図１】
2008167369.tif 000003
【図２】
2008167369.tif 000004
【図３】
2008167369.tif 000005
【図４】
2008167369.tif 000006
【図５】
2008167369.tif 000007
【図６】
2008167369.tif 000008
【図７】
2008167369.tif 000009
【図８】
2008167369.tif 000010
【図９】
2008167369.tif 000011